【手続補正書】
【提出日】平成17年6月8日(2005.6.8)
【手続補正１】
【補正対象書類名】特許請求の範囲
【補正対象項目名】全文
【補正方法】変更
【補正の内容】
【特許請求の範囲】
【請求項１】
第１部材と第２部材との間の相対運動を検知するための磁気スイッチであり、
前記磁気スイッチが、第１部材に取り付けられるスイッチアセンブリと、第２部材に取り付けられる第２の磁気吸引性の部品と、を含み、
前記スイッチアセンブリが、細長い第１スイッチ構成部品と、前記第１スイッチ構成部品に対して間隔の空けられた関係にある第２スイッチ構成部品と、導電性の永久磁化本体と、第１の磁気吸引性の部品と、を含み、
前記本体が、前記本体が前記第１および第２スイッチ構成部品と同時に接触する第１位置と、前記本体と両方の前記スイッチ構成部品との接触が解除される第２位置との間をシフト可能であり、
前記第１および第２の磁気吸引性の部品が、前記第１および第２部材が最初の相対配向にある場合、前記本体が、前記本体と、前記第１および第２の磁気吸引性の部品のうちの一方との間の磁気吸引力によって前記第１位置にシフトされ、また、前記第１および第２部材が別の１つの異なる相対配向にある場合、前記本体が、前記本体と、前記第１および第２の磁気吸引性の部品のうちのもう一方との間の磁気吸引力によって前記第２位置にシフトされるように配置される、磁気スイッチ。
【請求項２】
前記第１の磁気吸引性の部品が部分的に焼きなましされたスチールで形成される、請求項１に記載の磁気スイッチ。
【請求項３】
前記スイッチアセンブリが、カバーを有する閉じられたハウジングを含み、前記第１の磁気吸引性の部品が、前記カバーの一部を形成する環状体である、請求項２に記載の磁気スイッチ。
【請求項４】
前記カバーが中央の非導電性プラグを含む、請求項２に記載の磁気スイッチ。
【請求項５】
前記第２の磁気吸引性の部品が強磁性体部品を含む、請求項１に記載の磁気スイッチ。
【請求項６】
前記強磁性体部品が永久磁石である、請求項５に記載の磁気スイッチ。
【請求項７】
前記本体が実質的に球体であるボールを含む、請求項１に記載の磁気スイッチ。
【請求項８】
前記ボールがサマリウム‐コバルト合金で形成される、請求項７に記載の磁気スイッチ。
【請求項９】
前記合金がニッケルの外側コーティングを有する、請求項８に記載の磁気スイッチ。
【請求項１０】
前記第１スイッチ構成部品が実質的に垂直に配向される細長い棒状の形態を与え、前記第２スイッチ構成部品が実質的に円盤状であり、前記第２スイッチ構成部品が前記第１スイッチ構成部品の下であって通常前記第１スイッチ構成部品の長手方向軸を横切るように配置される、請求項１に記載の磁気スイッチ。
【請求項１１】
前記第２スイッチ構成部品が前記第１スイッチ構成部品に近接した凹状の表面を与える、請求項１０に記載の磁気スイッチ。
【請求項１２】
第１および第２部材が、実質的に近接する第１位置から、前記第１および第２部材が離れる位置である第２位置へと動かされたときに、前記第１部材と前記第２部材との間の相対運動を検知するための磁気スイッチであり、
前記磁気スイッチが、前記第１部材に取り付けるためのスイッチアセンブリと、前記第２部材と組み合わせるための第２の磁気吸引性の部品と、を含み、
前記スイッチアセンブリが、囲んで境界を定める側壁と、凹凸を有する底壁と、トップカバーとを有するチャンバを与えるハウジングと、前記トップカバーを通過して前記チャンバ内へと下方に延びる細長い導電性の構成部品と、前記チャンバ内でシフト可能な本体と、を含み、
前記トップカバーが、比較的弱い第１の磁気吸引性の部品を含み、前記底壁が接触面を有し、
前記細長い導電性の構成部品および前記接触面が、それぞれ第１および第２スイッチ構成部品を定義し、
前記本体が、永久磁化材料により形成され、
前記第１および第２の磁気吸引性の部品が、前記第１および第２部材が最初の相対配向にある場合、前記本体が、前記本体と、前記第１および第２の磁気吸引性の部品のうちの一方との間の磁気吸引力によって前記第１位置にシフトされ、また、前記第１および第２部材が別の１つの異なる相対配向にある場合、前記本体が、前記本体と、前記第１および第２の磁気吸引性の部品のうちのもう一方との間の磁気吸引力によって前記第２位置にシフトされるように配置される、磁気スイッチ。
【請求項１３】
前記第２の磁気吸引性の部品が強磁性体部品を含む、請求項１２に記載の磁気スイッチ。
【請求項１４】
前記強磁性体部品が永久磁石である、請求項１３に記載の磁気スイッチ。
【請求項１５】
前記第２の磁気吸引性の部品が金属製のプレートである、請求項１３に記載の磁気スイッチ。
【請求項１６】
前記本体がサマリウム‐コバルト合金で形成される、請求項１２に記載の磁気スイッチ。
【請求項１７】
前記合金がニッケルの外側コーティングを有する、請求項１６に記載の磁気スイッチ。
【請求項１８】
前記チャンバが不活性ガス雰囲気を有する、請求項１２に記載の磁気スイッチ。
【請求項１９】
前記本体が実質的に球形のボールを含む、請求項１２に記載の磁気スイッチ。
【請求項２０】
細長い第１スイッチ構成部品と、前記第１スイッチ構成部品に対して間隔の空けられた関係にある第２スイッチ構成部品と、導電性の永久磁化本体と、第１の磁気吸引性の部品とを含む磁気スイッチアセンブリであり、
前記永久磁化本体が、前記本体が前記第１および第２スイッチ構成部品と同時に接触する第１位置と、前記本体と両方の前記スイッチ構成部品との接触が解除される第２位置との間をシフト可能であり、
前記永久磁化本体が、前記第１の磁気吸引性の部品に対して磁気吸引力によって引きつけられ、
前記本体と前記第１の磁気吸引性の部品との間の磁気吸引力によって前記第２位置に保持された前記永久磁化本体が、前記スイッチアセンブリに近接する第２の磁気吸引性の部品の存在に反応して前記第１位置にシフト可能であるスイッチアセンブリ。
【請求項２１】
前記第１および第２スイッチ構成部品が導電性の材料で形成される、請求項２０に記載のスイッチアセンブリ。
【請求項２２】
前記第１スイッチ構成部品が細長い棒状の部品を含む、請求項２０に記載のスイッチアセンブリ。
【請求項２３】
前記第１の磁気吸引性の部品が部分的に焼きなましされたスチールで形成される、請求項２０に記載のスイッチアセンブリ。
【請求項２４】
前記スイッチアセンブリがカバーを有するハウジングを含み、前記第１の磁気吸引性の部品が前記カバーの一部を形成する環状体である、請求項２０に記載のスイッチアセンブリ。
【請求項２５】
前記ハウジングが、囲んで境界を定める側壁を有するチャンバを与え、前記第１スイッチ構成部品が、前記カバーを通過して前記チャンバ内へと下方に延びる、請求項２４に記載のスイッチアセンブリ。
【請求項２６】
前記カバーが中央の非導電性プラグを含む、請求項２４に記載のスイッチアセンブリ。
【請求項２７】
前記本体が実質的に球体のボールを含む、請求項２０に記載のスイッチアセンブリ。
【請求項２８】
前記ボールがサマリウム‐コバルト合金で形成される、請求項２７に記載のスイッチアセンブリ。
【請求項２９】
前記合金がニッケルの外側コーティングを有する、請求項２８に記載のスイッチアセンブリ。
【請求項３０】
前記第１スイッチ構成部品が実質的に垂直に配向される細長い棒状の形態を与え、前記第２スイッチ構成部品が実質的に円盤状であり、前記第２スイッチ構成部品が前記第１スイッチ構成部品の下に、通常は前記第１スイッチ構成部品の長手方向軸を横切るように配置される、請求項２０に記載のスイッチアセンブリ。
【請求項３１】
前記第２スイッチ構成部品が前記第１スイッチ構成部品に近接した凹状の表面を与える、請求項３０に記載のスイッチアセンブリ。
【請求項３２】
細長い第１スイッチ構成部品と、前記第１スイッチ構成部品に対して間隔の空けられた関係にある第２スイッチ構成部品と、導電性の永久磁化本体と、第１の磁気吸引性の部品と、を含み、
前記永久磁化本体が、前記本体が前記第１および第２スイッチ構成部品と同時に接触する第１位置と、前記本体と両方の前記スイッチ構成部品との接触が解除される第２位置との間をシフト可能なスイッチアセンブリを与える段階と、
前記本体を前記第２位置に保持するために、前記第１の磁気吸引性の部品と前記本体との間の磁気吸引力を使用する段階と、
前記スイッチアセンブリに近接する磁気状態（ｍａｇｎｅｔｉｃ  ｃｏｎｄｉｔｉｏｎ）の変化に反応して前記本体を前記第１位置にシフトさせる段階と、を含む方法。
【請求項３３】
前記シフトさせる段階が、前記スイッチアセンブリに近接する第２の磁気吸引性の部品の存在に反応したものである、請求項３２に記載の方法。
【請求項３４】
前記第１の磁気吸引性の部品と前記本体との間の前記磁気吸引力が、前記第２の磁気吸引性の部品と前記本体との間の前記磁気吸引力よりも弱い、請求項３２に記載の方法。
【請求項３５】
前記第２の磁気吸引性の部品が強磁性体の材料を含む、請求項３２に記載の方法。
【請求項３６】
前記第１および第２スイッチ構成部品が導電性の材料で形成される、請求項３２に記載の方法。
【請求項３７】
前記スイッチアセンブリがカバーを有するハウジングを含み、前記第１の磁気吸引性の部品が前記カバーの一部を形成する環状体である、請求項３２に記載の方法。
【請求項３８】
前記ハウジングが、囲んで境界を定める側壁を有するチャンバを与え、前記第１スイッチ構成部品が、前記カバーを通過して前記チャンバ内へと下方に延びる、請求項３７に記載の方法。
【請求項３９】
前記第１スイッチ構成部品が実質的に垂直に配向される細長い棒状の形態を与え、前記第２スイッチ構成部品が実質的に円盤状であり、前記第２スイッチ構成部品が前記第１スイッチ構成部品の下に、通常は前記第１スイッチ構成部品の長手方向軸を横切るように配置される、請求項３２に記載の方法。